(57)【要約】【課題】プロジェクタ単体でプレゼンテーションを行うために、表示するデータの種類や環境に左右されず、より効果的なプレゼンテーションを可能とする。【解決手段】本発明において、投影するデータをデジタル変換し、プロジェクタ内部に記録する装置と記録された信号を読み出し、符号化復元処理された信号を表示することにより、プロジェクタ単体でのプレゼンテーションが可能となり、更に専用のソフトウエアなどに頼ることなく外部からのＰＣ入力信号によりパソコンのグラフィック描画機能等を使用し、クロマキー合成・半透明合成等による画像表示を可能とする。【選択図】  図２
2004309690.tif 000002
【特許請求の範囲】
【請求項１】
入力端子より入力された映像信号に対してデジタル変換する映像信号作成手段と、デジタルによる入力映像信号を受理する手段との少なくとも一方の手段を備え、映像信号に対して符号化／圧縮処理を行い、記録メディアに記録する記録手段とを備えた映像信号表示装置であって、使用者による操作指示を受理する手段と、前記操作指示により、記録手段に記録された信号を読み出し、読み出されたデータに対しての符号化復元処理手段と、復元された映像信号を表示する表示手段とを備えたことを特徴とする映像信号表示装置。
【請求項２】
請求項１記載の映像信号表示装置において、さらに入力された画像信号の入力解像度を判定する手段と、判定した結果により解像度変換処理以前もしくは解像度変換処理以後のいずれかの映像信号を選択する手段を持つ事を特徴とする映像表示装置。
【請求項３】
前記記録装置から読み出された信号と、入力された画像信号とを、入力された画像信号の色に応じて選択する手段を具備し、クロマキー合成を行うことを特徴とする映像表示装置。
【請求項４】
前記記録装置から読み出された信号と、入力された画像信号とを、入力された画像信号の色に応じて選択もしくは加算平均演算を行う手段を具備し、半透明合成表示を行うことを特徴とする映像表示装置。
【発明の詳細な説明】
【０００１】
【発明の属する技術分野】
本発明は、たとえばモニタ装置やプロジェクタ装置等において、プレゼンテーションや映像展示を行う場合において有用な映像表示装置に関するものである。
【０００２】
【従来の技術】
従来、プロジェクタ等を用いてプレゼンテーションや映像展示等を行う場合において、プロジェクタ本体の他に表示する信号ソースであるパソコンやビデオデッキ等を用意し、現場において接続し、所望の目的を達していた。このような場合、持ち運びや設置にあたって面倒で時間がかかることが多々ある。
【０００３】
その不便利を解消するためにメモリーカードや内蔵の記録装置に対して表示させたい信号を記録させ、表示を行うことによりプロジェクタ単体でプレゼンテーションが可能なものが考案されており、例えば特許文献１及び特許文献２が挙げられる。
【０００４】
【特許文献１】
特開平８−１７９７２９号公報
【特許文献２】
特開平９−３２５４１３号公報
【０００５】
【発明が解決しようとする課題】
しかしながらこれらの方式においては単体でのプレゼンテーションのためにはプレゼンテーションをするためのデータ（画像や文章など）そのものを作成した上で、さらに、
・パソコンにおいてそのプロジェクタ専用のデータの作成を行う
・作成のためにはパソコン上において特殊なソフトウェアを導入し扱う
・ソフトウェア自体操作手順が面倒であったり操作に習熟を要したりする
などが必要でありこれらの事柄は使用者に高度な知識を要求、負担を強いるという問題がある。
【０００６】
また、これらのソフトウェアは、一般的にパソコンの機種（ＯＳ等）が限定されているなどの問題がある。例えばワークステーションにおいてＣＡＤで作成されたデータを引用したい場合などにおいてディスプレイに表示されているにもかかわらず、電子データとしてそれを得る事は困難もしくは手間がかかる。
【０００７】
このようなケースにおいては一度ＣＡＤからのデータをＰＣ側で処理可能な様式で電子データとして出力させ、ネットワーク経由等の手段でＰＣに転送し、ＰＣ側で表示させて変換するなどの操作が必要である。また、このようなことが現実にはできないことも多々あり、場合によってはそれぞれに応じたソフトウェア手段を用意する必要がある。
【０００８】
その結果としてシステム提供側もしくはユーザー側でのソフトウェアの作成による作業が必要であるなど限定・制約された環境・状況でデータを作成するという結果となっているのが現状である。
【０００９】
さらにビデオ信号ソース、例えばビデオカメラ等で撮影した場面や動画を挿入したい場合などにおいても実現手段としては、パソコンなどに動画記録専用のハードウェアを搭載していることが必要であり、加えてそれらを取り扱うためのソフトウェアを使用する必要があり、デジタルデータへの変換を行いプロジェクタへの転送を行うという手間がかかる。
【００１０】
本発明によれば、画像を投影するために信号を入力し、その入力され信号をデジタル変換し、入力された信号を表示するイメージを、内部に搭載された記録装置に貯える装置とプレゼンテーション時には記録装置に貯えたデータを読み出し、画像信号として再生表示させる装置を持つ事よりプロジェクタで投影できうる信号を持つパソコンやビデオソース等を入力しユーザーによってその信号を記録する操作をもって本体にその映像信号を記録することにより、プレゼンテーションの時にはプロジェクタのみによってその記録したデータをとり、再生動作をすることにより目的を達する事ができる。
【００１１】
プロジェクタに記録を行うことができ、プロジェクタ本体のみで再生を行うことが可能である。例えばパソコンやワークステーションなどのコンピューター類全般に対してもそのプロジェクタが表示可能な信号でさえあれば、その画像を記録することが可能であるために、従来例で述べたような特定のソフトウェアを用意する必要は全く無い。
【００１２】
一方、ビデオデッキやムービー等のビデオ出力を持つ機器においてもプロジェクタにビデオ機器を接続すればよく、パソコンなどを介在させる必要はない。
【００１３】
使用者がパソコンの煩雑な機器・ソフト操作や特殊な機材を使う必要が無いという利点がある。このことは仮にパソコンの操作等に不慣れであっても、例えば自分で撮影をした動画作品をプロジェクタに記録する事でプロジェクタ単体を持ち運ぶだけでその作品の上映が可能となる。
【００１４】
以上の事柄によりプレゼンテーションデータの定型的な表示においてはパソコンなどを使用する必要がなくなる。つまり、パソコン信号の入力端子には何も接続する必要が無くなる。さらにこの事柄を利用する事で、接続する必要がなくなったパソコン信号の入力端子を活用する事によってより効果的なプレゼンテーションを行うことを目的とする。
【００１５】
プレゼンテーション時には、場合によって画面上を指し示したり、画面上に表示に対して下線や丸記号などのマーカーによって強調したり、さらに文字を書き加えたいということがある。これらの要求に対して、従来ではレーザー光などをスクリーンにあててポインタとして使用する等の方法やプロジェクタのＯＳＤ機能等を活用してポインタやマーカー等の機能を実現していた。これらの方法は一般に操作に習熟が必要であるか、または既に用意された表示しかできないなど、自由度も低い。
【００１６】
【課題を解決するための手段】
本発明は上記課題を解決するために、以下の発明を特徴とする。入力端子より入力された映像信号に対してデジタル変換する映像信号作成手段と、デジタルによる入力映像信号を受理する手段との少なくとも一方の手段を備え、映像信号に対して符号化／圧縮処理を行い、記録メディアに記録する記録手段とを備えた映像信号表示装置であって、使用者による操作指示を受理する手段と、前記操作指示により、記録手段に記録された信号を読み出し、読み出されたデータに対しての符号化復元処理手段と、復元された映像信号を表示する表示手段とを備えたことを特徴とする。
【００１７】
また、上記映像信号表示装置のうち、入力された画像信号の入力解像度を判定する手段と、判定した結果により解像度変換処理以前もしくは解像度変換処理以後のいずれかの映像信号を選択する手段を持つ事を特徴とする表示装置。
【００１８】
また、前記記録装置から読み出された信号と、入力された画像信号とを、入力された画像信号の色に応じて選択する手段を具備し、クロマキー合成を行うことを特徴とする。
【００１９】
また、前記記録装置から読み出された信号と、入力された画像信号とを、入力された画像信号の色に応じて選択もしくは加算平均演算を行う手段を具備し、半透明合成表示を行うことを特徴とする。
【００２０】
【発明の実施の形態】
以下は液晶プロジェクタにおける実施形態において説明を行う。最初に、液晶プロジェクタの動作例（基本動作）の一例について図１を用いて説明する。
【００２１】
デジタル信号の入力に対しては、アナログ信号の入力をデジタル変換した後と以降の信号処理が等価であるために特に技術的特徴はなく記述する必要が無いために省略をする。
【００２２】
基本例としてパソコンの映像アナログ出力端子より出力されるＲＧＢ映像信号を投射する場合の処理について説明を行う。プロジェクタの入力端子より入力された信号においてまず同期信号について同期処理回路１０３によって同期分離等が行われた後、その水平、垂直周波数が計測される。
【００２３】
パソコンなどの信号においては多数の信号周波数・解像度が存在するが、先に延べた同期処理回路１０３によって入力された水平同期周波数および垂直同期周波数が計測され、ＭＣＵ（Ｍｉｃｒｏ    Ｃｏｎｔｒｏｌ  Ｕｎｉｔ制御用として使用する逐次プログラムを実行可能な演算機）１０４によって判定テーブルにより解像度が選択され、解像度変換器１０５に対して適当な拡大率等を設定する。
【００２４】
一方、アナログ信号をデジタルサンプルするためのクロックの周波数が選択され、ＰＬＬ（Ｐｈａｓｅ  Ｌｏｃｋｅｄ  Ｌｏｏｐ）回路１０２に対してパラメータの設定が行われ、サンプルクロックがＡＤＣ１０１（アナログ−デジタル変換器）に供給される。
【００２５】
一方、画像信号はＡＤＣ１０１によりそのサンプルクロックに従いデジタル変換がなされる。デジタル変換された映像信号は解像度変換器１０５に送られ、これよって液晶表示装置に適合した解像度・同期周波数への変換、ブランク期間の付与などの処理が行われる。
【００２６】
この信号は表示装置１０６に送られ、表示映像として現れる。ここでは光学系システムは記していないが、この表示装置１０６に表示された映像が投影装置によりスクリーンに投影されることとなる。
【００２７】
表示装置１０６は液晶表示装置を含めた回路系一式を指し、必要に応じてアナログ信号への変換、パネル固有の駆動信号の処理等が含まれるが、それらの基準となるのは上記解像度変換器より出力される信号である。ここでは液晶を例にとったが他の固定解像度を持つ映像表示装置においても固有の処理回路系が含まれるが、表示装置１０６と表現する範疇から外れるものではない。
【００２８】
ビデオ信号の場合にはビデオデコーダによって信号処理（Ｙ／Ｃ分離、色差分離等）がなされＡＤ変換されることによりデジタル変換後、解像度変換器１０５に送られ、以下同様に処理される。
【００２９】
本発明ではビデオ信号の記録についての説明を省略しているが処理は同様である。またデジタル化された入力信号も想定されるがこれについても同様である。
【００３０】
映像処理と別に操作ＳＷ（操作を指示する押しボタンのようなスイッチ装置）１０７による操作によって入力信号の切替、表示信号の調整、諸設定などの操作が行われる。
【００３１】
操作ＳＷ１０７による操作はＭＣＵ１０４によって検出され、どのボタンが押されたかを認識し、所定の動作を行う。
【００３２】
リモコンなどによる操作も考えられるがここでは説明の簡略のために操作ＳＷ１０７による使用者からの操作を例にとって説明を行う。例として以上のような構成を持つ液晶プロジェクタを基準に本発明の説明を行う。
【００３３】
図２と図３を用いて本発明について説明をする。最初に、録画動作について、使用者により入力された映像信号を記録するプロセスについて説明をする。
図２において信号切替器１０８がＡＤＣ１０１からの入力を解像度変換器１０５に導くように切り替わっていれば画像信号入力から表示装置までは上記における説明と同一の処理である。
【００３４】
それに加えてＡＤＣ１０１によりデジタル化された信号は解像度変換器１０５と同時に画像記録装置１１０にも導かれる。静止画記録においては、使用者による操作ＳＷ１０７によってキーが押下された信号が発生するとＭＣＵ１０４はそれを検出し画像記録装置１１０に対して静止画記録動作をさせる信号を送る。これは単一キーによるものでも構わないし、メニュー操作などによる複数キーの組み合わせによるものでも構わない。
【００３５】
次に画像記録装置１１０の構成を記した図３について説明を行う。外部からの画像信号入力２１０について制御装置２０２によって処理される。制御装置２０２により一旦フレームメモリ２０１にその信号は逐次転送され蓄えられている。
【００３６】
制御装置２０２はカウンターおよび切替器によって構成され、水平および垂直同期信号および映像信号の伝送クロックを基準にカウンターを作動させ、メモリのアドレスおよび制御信号を合成し切替を行う。
【００３７】
静止画記録信号をＭＣＵ２０４が受理すると制御装置２０２により画像記録装置に内蔵されたメモリからの読み出し動作を行う。
制御装置２０２は読み出し用に設けられたカウンターによりＭＣＵ２０４の読み出しに応じて順次フレームメモリ２０１に蓄えられた画像信号を出力する。
【００３８】
その信号をＭＣＵ２０４の演算機能により圧縮・符号化処理を行い、符号化したデータ列を、記録デバイス２０３に対して書き込み操作を行う。
【００３９】
１フィールド（垂直同期一周期分）の読み出しが終わればＭＣＵ２０４は書き込み動作を停止する。
【００４０】
その結果としてメモリに押下された時点の画像が保持されることになる。圧縮・符号化の方式においては静止画に適したＪＰＥＧ、ＰＮＧなどの既知の方式（フォーマット）が数多く存在し、動画に適したＭＰＥＧ２、Ｍｏｔｉｏｎ−ＪＰＥＧ、などが広く知られておりこれらの技術を利用すれば実現可能である。
【００４１】
もちろんこれらの方式に限る事ではなく他の適当な圧縮方式を用いて構成しても本件において影響はないし、画像の種類や使用者の選択によって最も適したものを使用するのも任意である。
【００４２】
さらには言えば記録装置の容量が十分にあれば圧縮をしないで符号列にするのみでも構わない。これらの方式は広く既知のものであり方式手段に関してどれを選択するかは本発明において影響を及ぼすものではないのでここでは詳細には触れない。
【００４３】
記録デバイス２０３は例えばハードディスク装置が挙げられる。本説明では単なる書き込み読み込み操作としか表現していないが、この装置における制御装置においてもＩＤＥ接続、ＳＣＳＩ接続などの広く知られた方式・インタフェースが存在し、実現においてもその構造を深く意識する必要がないほどであるので、ここでは詳細には触れない。
【００４４】
なお、ハードディスクのような磁気記録媒体を用いても消去可能な保持型メモリ、光記録方式等を用いても構わない。
【００４５】
次に、動画記録について説明を行う。動画記録においても静止画記録とほぼ同様である。操作ＳＷ１０７において録画開始ＳＷと定義したＳＷを押下することで記録を開始させる。ＭＣＵ１０４により画像記録装置１１０に対して動画記録を開始させる信号を送る。
【００４６】
画像記録装置１１０においてはＭＣＵ２０４がそれを受ける。
静止画と同様に制御装置２０２を介して入力された画像信号を読み取り、ＭＣＵ２０４により圧縮・符号化を行い、記録デバイス２０３に記録を行う。
これら一連の動作を１フレーム以内に連続して行えば動画記録が可能である。
なお、フレーム前後の情報により圧縮効率を高める、ＭＣＵではなく専用のハードウェアによる構成等も考えられる。
【００４７】
そして操作ＳＷ１０７の録画停止キーによりその記録動作を停止させる。
記録終了を画像記録装置１１０に通知する。画像記録装置は上記に述べた一連の記録動作を終了させ、記録インデックス情報を付加する。これは記録装置に保持している最後の記録通番号を読み取り、１つ加算を行い、その値を記録すれば良い。内部に時計機能を所持していれば時刻を記録するなど、付加的な情報を構成することも考えられる。
【００４８】
次に、再生操作についての例を示す。操作ＳＷ１０７において再生キーを押下することでＯＳＤにより先に記録された番号を列記する。
【００４９】
使用者はリモコンなどの操作により番号を選択する事により任意の記録させたファイルを表示する意思表示をする。
【００５０】
ＭＣＵ１０４はその選択された番号を画像記録装置１１０に知らせる。
ＭＣＵ２０４はその番号に該当するデータを番号による指標に従い記録デバイス２０３より読み出しながら探し出す。
ＭＣＵ２０４は記録デバイス２０３より符号化されたデータを読み出し、演算機能により符号の復元処理を行う。
【００５１】
復元したデータは制御装置２０７を介してフレームメモリ２０５に書き込む。制御装置２０７においてはカウンターと切替器から構成され、フレームメモリ２０５へのアドレスおよび制御信号の生成を行う。
【００５２】
ＭＣＵ２０４からの操作により制御装置に書き込まれたデータはフレームメモリに書き込みが行われる。
【００５３】
一方、制御装置２０７には独自の基準クロックが入力されており、それによってカウンターとデコーダーにより水平同期および垂直信号を発生させ、それらと同期をとってフレームメモリからデータを読み出し、ＡＤＣ１０１からの映像信号と同様な時系列の画像信号出力２１１として出力される。
【００５４】
信号切替器１０８は画像記録装置１１０からの信号が解像度変換器１０５に入力されるようにＭＣＵ１０４により切り替えられており、解像度変換器１０５によって処理され投影される事となる。
【００５５】
この一連の処理は専用のハードウェアによる構成等も考えられるが、ここでは説明のために実施例としてＭＣＵによる処理を述べた。
【００５６】
説明の簡便のために番号の列記・選択としたが、例えば画像を小さく圧縮して並べて表示し、それを選択する、記録時に名称をつける、などの使用者にとってより便利な方法は多く考えられるが、本発明の主旨より外れるので説明を省いたにすぎない。
【００５７】
次に、操作に対する効果的な反応について言及する。録画時において、使用者によるキー操作に応じて画像表示も静止させると使用者がその操作が行えた事が理解しやすく効果的である。また、ＯＳＤなどによってそれに対する反応をすることも容易である。
【００５８】
画像表示停止については、解像度変換器に内包されるメモリに貯えられた内容をそのまま出力する事などが考えられ、容易に実現できる。もしくは、再生操作で既に述べたような操作のように記録した信号を自動的に続けて読み出し、表示を行う事で記録された信号の品質も確認でき、便利である。
【００５９】
説明のため特定のキー入力によるものを例としてあげたが、他にもリモコン操作やＯＳＤによるメニュー操作を含め、外部からの制御手段を構成することにより同様の効果が得られることは言うまでもない。
【００６０】
次に、音声の処理について言及をする。本実施形態においては説明の簡便のために音声の記録・再生については言及していないが、本体にスピーカーを装備し、音声入力端子を具備し音声を出力できる構成としたプロジェクターにおいて画像と同様に音声についても同様の構成を持って処理が可能である事は言うまでもない。
【００６１】
圧縮処理等についても画像信号と同様にＭＣＵによるソフトウェア処理、ハードウェアによる処理が考えられる。圧縮処理の技術についてもＭＰＥＧなどの圧縮計算方法が多数考案されておりこれらを任意に選択することにより実現可能である。
【００６２】
次に、本発明における高能率圧縮のための効果的な構成についての実施形態の説明を行う。実施形態を図４に示す。画像記録装置の圧縮装置によって記録操作を行う操作において、入力された信号の解像度が変換後の解像度よりも高いか、低いかをＭＣＵ１０４により判定を行う。
【００６３】
これはプロジェクタの自動同期調整システムにかかる方式であり、多くの関連技術があるため詳細は省略するが、主に同期信号の周波数判定などによって行う事ができる。
【００６４】
例えばプロジェクタの表示素子の解像度が１０２４ｘ７６８構成であるとき、変換後の解像度は１０２４ｘ７６８となる。入力信号の判定結果が６４０ｘ４８０画素構成であると判定されれば変換後の解像度よりも低いということになる。
【００６５】
この結果を用いて入力解像度の方が高い場合には解像度変換後の画像信号を、低い場合には解像度変換前の画像信号を導くように、切替器１１１および切替器１１２を用いて画像記録装置へ入力する映像信号を切替える。
【００６６】
低い場合には変換によって補完・伸長処理前がなされるので、変換前の方が情報量は少ない。高い場合には解像度変換処理によって非可逆圧縮処理がなされており、変換後のほうが情報量は少ない、という特徴を利用している。
【００６７】
一方、再生時の処理のために、上記録画時において通番号の記録処理と合わせてどちらの信号を用いたのかを記録装置に記録しておく。再生時においてはこのように、解像度変換器の前段、もしくは後段による処理のいずれかが記録されているのでその情報を読み取り、それに応じて装置からの出力が送られるように切替器１０８および切替器１１１を操作する。
【００６８】
次に、外部に接続もしくは取り外し可能な記録デバイスに対する記録について言及をする。上記においては内蔵の記録デバイスに対する記録において例を挙げて説明を行ったが、これは物理的に取り外し可能なデバイスにおいても同等である。
【００６９】
また、例えばプロジェクタにネットワーク機能をもたせ、外部に接続された記録装置に対して仮想的に記録デバイスを構成する事で、それに対して書き込みを行うことも同等である。
【００７０】
次に、本発明にかかるクロマキー合成について実施形態の説明をする。
クロマキー合成に関しては既知の発明があるが、図５を実施形態に構成を説明する。上記説明において信号切替器１０８ではなく合成切替器１１５により構成する。
【００７１】
合成回路１１５の実施形態を図６に示す。比較回路３０１は入力信号についてある範囲内の数値であるかどうかを判定する回路である。
【００７２】
ＭＣＵ１０４により設定値レジスタ３０３に対してその上限値、下限値を設定する。この数値はＯＳＤ機能のメニュー構成などを用いて使用者に設定をさせてもよいし、プロジェクタとして固定の値を提示することは任意である。これをＲ，Ｇ，Ｂのそれぞれの色について設けることとする。
【００７３】
切替器３２４への切替信号としてはそれらの論理積をとるように構成する。
選択回路において入力信号に対して、例えばＲの下限値を０、上限値を１５、Ｂの下限値を０、上限値を１５、Ｇの下限値を０、上限値を１５と設定レジスタに設定を行っているとする。これをクロマキー色の設定と称する。
【００７４】
ここで映像の入力映像としてＲは０、Ｇは０、Ｂは０というような信号を入力すれば、それぞれの比較器の結果はすべて０となり合成結果は０となる。切替器には切替信号として０が入力されるので再生信号側に切替がなされ、再生信号が表示されることになる。
【００７５】
一方、ここで入力映像として緑信号としてＲは０、Ｂは０、Ｇは２５５というような信号を入力すると各比較器の出力において、ＲとＢは０だがＧは１となりその合成結果は１となる。
【００７６】
よって切替器３０２には切替信号として１が入力されるのでＰＣ信号側に切替がなされ、ＰＣ信号が表示されることになる。つまり緑の点が画面上にあらわれることになる。
【００７７】
つまりＰＣの上で、クロマキー色範囲として設定した色（黒も含む）の場所では本体に記録画像が再生されている映像が表示され、クロマキー色範囲として設定した色以外で点を打つと、その点が投影している画面上に表示されることになる。
【００７８】
結果として本体記録された信号を再生している状態において、接続したＰＣ上でクロマキー色以外の色で線を描くと、再生している画面上に上書きするように画面上に線が書かれたように見える効果が生じる。
【００７９】
この機能により、プロジェクタ本体のデータを用いてプレゼンテーションを行っている最中に、外部に接続したパソコンによって、投影している画像に対してポイントを行ったりマーカーのように線を引いたりすることができる。
【００８０】
このような操作におけるＰＣは、特殊なソフトウェアや、既にプレゼンテーションデータが入っているものを用意する必要は全くなく、パソコンにおいて基本的なソフトの一つともいえる任意のグラフィック系ツールと呼ばれるものがあれば良い。
【００８１】
もちろん本体のプレゼンテーションデータに重ねあわせるようなものをあらかじめＰＣ側に用意しておいてそれを表示させても良いなど使用者にとっての自由度が高い。
【００８２】
次に、半透明合成について説明をする。上記の説明においては切替えとしていたが、これを両者のデータの加算平均を算出する回路３２２とする事で半透明合成をすることが可能である。実施形態として図７を示す。
【００８３】
これにおいては半透明合成のみの例としたが、切替器を適切に配置することでクロマキー機能と使用者の設定により切替えることも可能である。
【００８４】
上記発明においてプロジェクタ内部に記録した信号を用いてプレゼンテーションを行い外部からのＰＣ入力信号によってそのポインタやマーカー機能を実現するものである。
【００８５】
従来の同様の方法に比べれば、パソコンによるグラフィック描画機能をそのまま転用できるので非常に自由度が高い。専用のソフトウェアに頼るものではないため、使用者の使い慣れたものを使用したり、任意の画像表示ソフトウェアを用意したりし、それらと画面上で合成を行う事により、効果的なプレゼンテーションを可能とするなど、使用者にとって負担が少なく効果が大きいという利点がある。
【００８６】
なお、前記実施形態ではＰＣ入力信号による例で記述を行うが、これはビデオ入力信号を利用するとしても同様の処理で可能であり、等価である事はいうまでもない。
【００８７】
【発明の効果】
入力端子より入力された映像信号に対してデジタル変換する映像信号作成手段と、デジタルによる入力映像信号を受理する手段と、少なくともその一方を備え、その映像信号に対して符号化／圧縮処理を行い、記録メディアに記録する手段とを備えることにより、データの種類に関係なく、僅かな操作を覚える事でプロジェクタ単体でのプレゼンテーションという目的を達成するための準備を可能とする。
【００８８】
また、入力された画像信号の処理解像度を判定する手段と、判定基準により解像度変換処理以前もしくは解像度変換処理以後のいずれかを選択する手段を持つ構成をとる事により、より高効率の圧縮効果を得る事ができ、同じ容量の記録媒体を使用しても前発明よりも多くの画像データを格納する事が可能となる。
【００８９】
また、記録装置から読み出された信号を、入力された画像信号を、入力された画像信号の色に応じて選択する手段を持つ事ことにより、クロマキー合成を行うことを特徴とする表示装置（クロマキー合成）を構成することにより、効果的なプレゼンテーションを行う事ができる。
【００９０】
また、記録装置から読み出された信号を、入力された画像信号を、入力された画像信号の色に応じて選択もしくは加算平均演算を行う手段を持つ事ことにより、半透明合成合成表示を行うことを特徴とする表示装置を構成することにより、効果的なプレゼンテーションを行う事ができる。
【図面の簡単な説明】
【図１】プロジェクタの基本構成についての説明である。
【図２】録画動作についての説明図である。
【図３】画像記録装置の実施形態についての説明図である。
【図４】高能率圧縮のための実施形態に関する説明図である。
【図５】クロマキー合成の実施形態に関する説明図である。
【図６】クロマキー合成に関する合成切替器の実施形態についての説明図である。
【図７】半透明合成に関する合成切替器の実施形態についての説明図である。
【符号の説明】
１０１  ＡＤＣ
１０３  同期処理回路
１０４  ＭＣＵ
１０５  解像度変換機
１０６  表示装置
１０７  操作スイッチ
１０８  信号切替器
１１０  画像記録装置
１１１  信号切替器
１１２  信号切替器
２０１  フレームメモリ
２０２  制御装置
２０３  記録デバイス
２０４  ＭＣＵ
２０５  フレームメモリ
２１０  画像信号入力
２１１  画像信号出力
３０１  比較器
３０２  切替器
３０３  設定値レジスタ
３１１  映像信号
３１２  映像信号
【図１】
2004309690.tif 000003
【図２】
2004309690.tif 000004
【図３】
2004309690.tif 000005
【図４】
2004309690.tif 000006
【図５】
2004309690.tif 000007
【図６】
2004309690.tif 000008
【図７】
2004309690.tif 000009